(57)【特許請求の範囲】
【請求項１】
ワイパが連結されるピボット軸と、
内挿された前記ピボット軸を回動自在に支持する筒状のピボット支持部、及び前記ピボット支持部の外周面よりも径方向外側に突出した取付脚を有するピボットホルダと、
前記ピボット支持部に外挿された筒状のボス部、及び前記ボス部から径方向外側に延出した傘部を有する水受キャップと、
前記ピボット支持部の先端から突出した前記ピボット軸の外周に固定された少なくとも１つのワッシャと、
を備え、
前記取付脚は、前記取付脚を前記ピボット軸の軸方向に貫通した貫通部を有し、
前記ボス部は、前記ピボット軸の軸方向から見た場合に前記ボス部の少なくとも一部が前記ワッシャと重なっており、
前記傘部は、前記ピボット軸の軸方向に突出する挿入突起を有し、前記挿入突起は前記貫通部に挿入された状態で前記ピボット軸の軸方向には前記取付脚に係合することなく前記ピボット軸の周方向において前記貫通部に係合することを特徴とするワイパ装置。
【請求項２】
ワイパが連結されるピボット軸と、
内挿された前記ピボット軸を回動自在に支持する筒状のピボット支持部、及び前記ピボット支持部の外周面よりも径方向外側に突出した取付脚を有するピボットホルダと、
前記ピボット支持部に外挿された筒状のボス部、及び前記ボス部から径方向外側に延出した傘部を有する水受キャップと、
前記ピボット支持部の先端から突出した前記ピボット軸の外周に固定された少なくとも１つのワッシャと、
を備え、
前記ボス部は、前記ピボット軸の軸方向から見た場合に前記ボス部の少なくとも一部が前記ワッシャと重なっており、
前記傘部は、前記ピボット軸の周方向における前記取付脚の両側で前記ピボット軸の軸方向に突出する係止突起を有し、前記係止突起は前記ピボット軸の軸方向には前記取付脚に係合することなく前記取付脚と前記ピボット軸の周方向において対向することを特徴とするワイパ装置。
【請求項３】
請求項１又は請求項２に記載のワイパ装置であって、
前記ピボットホルダは、金属製であり、
前記水受キャップは、樹脂製であることを特徴とするワイパ装置。
【請求項４】
請求項１乃至請求項３の何れか１項に記載のワイパ装置であって、
前記ボス部と前記ピボット軸の軸方向に対向する前記ワッシャは、前記ボス部の外周において前記ピボット軸の径方向に前記ボス部と重なる位置まで軸方向に筒状に延びており、前記ボス部の先端が内側に収容されることを特徴とするワイパ装置。
【発明の詳細な説明】
【技術分野】
【０００１】
本発明は、ワイパ装置に関するものである。
【背景技術】
【０００２】
従来、車両のウインドウガラスを払拭するワイパ装置は、ワイパが連結されるピボット軸と、同ピボット軸を回動自在に支持するピボットホルダとを備えたものがある。このようなワイパ装置は、ピボット軸が、車体の板体（カウルトップパネル）に形成されたピボット孔に挿通された状態で配置される。
【０００３】
ところで、雨水や洗浄時における水等の液体が、ピボット孔から車体の内部に浸入し、ワイパ装置のモータやピボット軸を回動させるリンク機構の連結部分（例えばボールジョイント）に付着すると、電気的なトラブルやグリス切れ等の問題が生じる虞がある。そのため、ピボットホルダには、ピボット孔から車体の内部に浸入した液体を受け止めてモータやリンク機構の連結部分にかからない位置に排出する水受キャップが装着されている。
【０００４】
例えば、特許文献１に記載されたワイパ装置では、水受キャップは、樹脂製であり、その筒部がピボットホルダの先端側から同ピボットホルダに外挿され、筒部の内周縁において径方向内側に突出した突部がピボットホルダの基端部外周面に設けられた係合溝に係合することにより、ピボットホルダに対して組み付けられている。ピボットホルダに組み付けられた水受キャップは、係合溝に係合した突部によって、ピボットホルダの先端側への移動並びにピボットホルダに対する周方向の回転が規制される。また、水受キャップは、ピボット孔から車体の内側に浸入した水等の液体を傘部で受け止め、傘部に設けられた排水パイプから当該液体を排水する。
【先行技術文献】
【特許文献】
【０００５】
【特許文献１】特許第３９３４５０９号公報
【発明の概要】
【発明が解決しようとする課題】
【０００６】
しかしながら、特許文献１に記載されたワイパ装置では、水受キャップの筒部をピボットホルダに外挿する際、筒部の下端部に設けられた突部は、係合溝に係合するまでの間、ピボットホルダの先端部から係合溝までピボットホルダの外周面に擦り付けられることになる。そのため、ピボットホルダとの間の摩擦により突部が削れてしまう虞がある。なお、一般的に、ピボットホルダは金属製である場合が多く、樹脂製の突部は一層削れやすく、係合溝に対する突部の係止力が弱まってしまい、突部の係合溝への係合が解除されやすくなってしまう。そのため、輸送中の振動等により、ピボットホルダから水受キャップが外れてしまう虞があった。また、ピボットホルダに対して水受キャップが周方向に回転してしまう虞もあった。
【０００７】
本発明は、上記課題を解決するためになされたものであって、その目的は、ピボットホルダに対する水受キャップの正規の取付状態からの外れをより確実に防止することができるワイパ装置を提供することにある。
【課題を解決するための手段】
【０００８】
上記課題を解決するワイパ装置は、ワイパが連結されるピボット軸と、内挿された前記ピボット軸を回動自在に支持する筒状のピボット支持部、及び前記ピボット支持部の外周面よりも径方向外側に突出した取付脚を有するピボットホルダと、前記ピボット支持部に外挿された筒状のボス部、及び前記ボス部から径方向外側に延出した傘部を有する水受キャップと、前記ピボット支持部の先端から突出した前記ピボット軸の外周に固定された少なくとも１つのワッシャと、を備え、前記取付脚は、前記取付脚を前記ピボット軸の軸方向に貫通した貫通部を有し、前記ボス部は、前記ピボット軸の軸方向から見た場合に前記ボス部の少なくとも一部が前記ワッシャと重なっており、前記傘部は、前記ピボット軸の軸方向に突出する挿入突起を有し、前記挿入突起は前記貫通部に挿入された状態で前記ピボット軸の軸方向には前記取付脚に係合することなく前記ピボット軸の周方向において前記貫通部に係合する。
【０００９】
この構成によれば、水受キャップのボス部の少なくとも一部は、ピボット軸の外周に固定されたワッシャと同ピボット軸の軸方向に重なる。そのため、ピボット支持部の先端側から水受キャップが抜けることが、当該ワッシャによって阻止される。そして、水受キャップの傘部が有する挿入突起は、取付脚の貫通部に挿入されることにより、ピボット軸の周方向において同貫通部に係合している。そのため、貫通部に挿入された挿入突起によって、ピボットホルダに対して水受キャップがピボット軸の周方向に回転することが阻止される。また、ワイパ装置の水受キャップ組付け時には、ピボット支持部にボス部を外挿し、貫通部に挿入突起をピボット軸の軸方向から挿入する。このとき、挿入突起は、ピボット軸の軸方向には取付脚に係合しないが、ピボット軸の外周に固定されたワッシャにより、水受キャップはピボットホルダから抜けることが防止される。従って、水受キャップがピボットホルダから軸方向に抜けることを防止するための構成や、ピボットホルダに対してピボット軸の周方向に水受キャップが回転することを阻止するための構成が、ワイパ装置の組付け時に損傷されることが抑制される。よって、当該ワイパ装置では、ピボットホルダに対する水受キャップの正規の取付状態からの外れをより確実に防止することができる。
【００１０】
上記課題を解決するワイパ装置は、ワイパが連結されるピボット軸と、内挿された前記ピボット軸を回動自在に支持する筒状のピボット支持部、及び前記ピボット支持部の外周面よりも径方向外側に突出した取付脚を有するピボットホルダと、前記ピボット支持部に外挿された筒状のボス部、及び前記ボス部から径方向外側に延出した傘部を有する水受キャップと、前記ピボット支持部の先端から突出した前記ピボット軸の外周に固定された少なくとも１つのワッシャと、を備え、前記ボス部は、前記ピボット軸の軸方向から見た場合に前記ボス部の少なくとも一部が前記ワッシャと重なっており、前記傘部は、前記ピボット軸の周方向における前記取付脚の両側で前記ピボット軸の軸方向に突出する係止突起を有し、前記係止突起は前記ピボット軸の軸方向には前記取付脚に係合することなく前記取付脚と前記ピボット軸の周方向において対向する。
【００１１】
この構成によれば、水受キャップのボス部の少なくとも一部は、ピボット軸の外周に固定されたワッシャと同ピボット軸の軸方向に重なる。そのため、ピボット支持部の先端側から水受キャップが抜けることが、当該ワッシャによって阻止される。そして、水受キャップの傘部が有する係止突起は、取付脚におけるピボット軸の周方向の両側で取付脚とピボット軸の周方向において対向している。そのため、当該係止突起によって、ピボットホルダに対して水受キャップがピボット軸の周方向に回転することが阻止される。また、ワイパ装置の水受キャップ組付け時には、ピボット支持部にボス部を外挿し、係止突起をピボット軸の軸方向から取付脚におけるピボット軸の周方向の両側に配置する。このとき、係止突起は、ピボット軸の軸方向には取付脚に係合しないが、ピボット軸の外周に固定されたワッシャにより、水受キャップはピボットホルダから抜けることが防止される。従って、水受キャップがピボットホルダから軸方向に抜けることを防止するための構成や、ピボットホルダに対してピボット軸の周方向に水受キャップが回転することを阻止するための構成が、ワイパ装置の組付け時に損傷されることが抑制される。よって、当該ワイパ装置では、ピボットホルダに対する水受キャップの正規の取付状態からの外れをより確実に防止することができる。
【００１２】
上記ワイパ装置において、前記ピボットホルダは、金属製であり、前記水受キャップは、樹脂製であることが好ましい。
この構成によれば、ピボットホルダが金属製であり、同ピボットホルダに装着される水受キャップが樹脂製であっても、水受キャップがピボットホルダから抜けることを防止するための構成がワイパ装置の組付け時に損傷されることは抑制される。従って、金属製のピボットホルダ及び樹脂製の水受キャップを備えた当該ワイパ装置であっても、ピボットホルダに対する水受キャップの正規の取付状態からの外れをより確実に防止することができる。
【００１３】
上記ワイパ装置において、前記ボス部と前記ピボット軸の軸方向に対向する前記ワッシャは、前記ボス部の外周において前記ピボット軸の径方向に前記ボス部と重なる位置まで軸方向に筒状に延びており、前記ボス部の先端が内側に収容されることが好ましい。
【００１４】
この構成によれば、ボス部の内側に水等の液体が浸入することがワッシャによって抑制される。
【発明の効果】
【００１５】
本発明のワイパ装置によれば、ピボットホルダに対する水受キャップの正規の取付状態からの外れをより確実に防止することができる。
【図面の簡単な説明】
【００１６】
【図１】実施形態のワイパ装置を示す模式図。
【図２】実施形態のワイパ装置における第１ピボット軸付近の分解斜視図。
【図３】実施形態のワイパ装置における第１ピボット軸付近の断面図。
【図４】別の形態のワイパ装置における第１ピボット軸付近の断面図。
【図５】別の形態のワイパ装置における第１ピボット軸付近の断面図。
【図６】別の形態のワイパ装置における第１ピボット軸付近の断面図。
【図７】別の形態のワイパ装置における第１ピボット軸付近の断面図。
【図８】別の形態のワイパ装置の断面図（図７におけるＡ−Ａ断面図）。
【発明を実施するための形態】
【００１７】
以下、ワイパ装置の一実施形態について説明する。
図１に示すように、ワイパ装置は、第１及び第２ピボットホルダ１，２とそれらを連結する連結フレーム３とを備え、図示しない車両のフロントウインドウの下方で車体に対して固定されるものである。
【００１８】
また、ワイパ装置は、前記第１及び第２ピボットホルダ１，２に対してそれぞれ回転可能に支持された第１及び第２ピボット軸４，７と、該各ピボット軸４，７の下端にそれぞれ一端部が固定され、径方向（軸直交方向）に延びて該各ピボット軸４，７とそれぞれ一体回動する第１及び第２レバー５，８とを備えている。なお、第１及び第２ピボット軸４，７の上端部にはそれぞれ第１及び第２ワイパＷ１，Ｗ２が固定される。また、第１及び第２ピボットホルダ１，２には、それぞれ第１及び第２水受キャップ６，９が装着されている。
【００１９】
また、ワイパ装置は、一端が前記第１レバー５の他端部に連結され、他端が前記第２レバー８の他端部に連結された連結ロッド１１を備えている。また、ワイパ装置は、前記連結フレーム３に固定されたモータ１２と、該モータ１２の出力軸１３から径方向（軸直交方向）に延びて該出力軸１３と一体回転するクランクアーム１４とを備えている。また、ワイパ装置は、一端が前記クランクアーム１４の先端部に連結され、他端が前記連結ロッド１１の中間部に連結された駆動ロッド１５を備えている。なお、第１レバー５と連結ロッド１１、第２レバー８と連結ロッド１１、及び、駆動ロッド１５と連結ロッド１１は、連結ロッド１１に対して同一側（ピボット軸４，７の先端方向側）において、それぞれボールジョイント１６を介して相対回転可能に連結されている。
【００２０】
そして、ワイパ装置では、クランクアーム１４、駆動ロッド１５、連結ロッド１１、並びに第１及び第２レバー５，８を介してモータ１２の駆動力が第１及び第２ワイパＷ１，Ｗ２に伝達されて第１及び第２ワイパＷ１，Ｗ２が回動される。すると、第１及び第２ワイパＷ１，Ｗ２によって車両のフロントウインドウが払拭される。
【００２１】
次に、第１ピボットホルダ１及び第１水受キャップ６について詳述する。なお、第１ピボットホルダ１と第２ピボットホルダ２、及び、第１水受キャップ６と第２水受キャップ９とは同様の構成をなすため、第１ピボットホルダ１と第１水受キャップ６についてのみ詳述し、第２ピボットホルダ２と第２水受キャップ９の説明を省略する。
【００２２】
図２に示すように、本実施形態の第１ピボットホルダ１は、金属製であり、例えばアルミダイキャストにより形成されている。そして、第１ピボットホルダ１は、筒状をなし内挿された第１ピボット軸４を回動自在に支持するピボット支持部２１と、ピボット支持部２１の外周面よりも径方向外側に突出した取付脚２２と、連結フレーム３に固定されるフレーム固定部２３とを有する。
【００２３】
図２及び図３に示すように、本実施形態のピボット支持部２１は、第１ピボット軸４の軸方向（以下、軸方向Ｘ１とする）に延びる円筒状をなしており、その内周面に一対の軸受３１，３２を保持している。ピボット支持部２１は、これら軸受３１，３２によって第１ピボット軸４を回動自在に支持している。また、ピボット支持部２１に内挿された第１ピボット軸４は、その先端部（図３において上端部）がピボット支持部２１の先端（図３において上端）から同ピボット支持部２１の外部に突出している。また、ピボット支持部２１の先端部の内側であって軸受３１よりも先端寄りの位置には、第１ピボット軸４に外挿されたＯリング３３が配置されている。また、第１ピボット軸４の下端部（図３において下端部）は、ピボット支持部２１の下端から外部に突出しており、第１ピボット軸４におけるピボット支持部２１の下端から突出した部分に前記第１レバー５が一体回動可能に固定されている。
【００２４】
前記取付脚２２は、ピボット支持部２１の基端部から径方向外側に向かって延びており、略帯状の板状をなしている。なお、取付脚２２は、連結フレーム３及びモータ１２が配置される方向とは異なる方向に延びている（図１参照）。また、取付脚２２は、該取付脚２２の基端寄りの位置に、該取付脚２２を軸方向Ｘ１に貫通した貫通部２５を有する。本実施形態では、貫通部２５は、取付脚２２における第１ピボット軸４の周方向（第１ピボット軸４の回動方向に同じ。以下、周方向Ｘ２とする）の中央部に設けられた円形状の貫通孔である。このような取付脚２２は、その先端部が図示しない防振部材を介して車体に固定される。
【００２５】
図１及び図２に示すように、前記フレーム固定部２３は、ピボット支持部２１の基端部から径方向外側に向かって取付脚２２とは異なる方向に延びている。そして、フレーム固定部２３には、前記連結フレーム３の一端部が固定されている。
【００２６】
図２及び図３に示すように、前記第１水受キャップ６は樹脂製であり、ピボット支持部２１に外挿された筒状のボス部４１と、ボス部４１から径方向外側に延出した傘部４２とを有する。
【００２７】
ボス部４１は、ピボット支持部２１の外径よりも大きい内径を有する円筒状をなしている。また、ボス部４１の軸方向の長さは、ピボット支持部２１の軸方向の長さと同等もしくは僅かに短い。そして、ボス部４１は、その下端面が取付脚２２に軸方向Ｘ１から当接した状態で配置されている。
【００２８】
前記傘部４２は、ボス部４１の基端部の全周から径方向外側に延びており、ボス部４１を囲む環状の鍔状をなすとともに、その周縁部がボス部４１の先端側（図３において上側）に突出している。また、傘部４２の周縁部の一部には、傘部４２の内側に入った水を排出するための排水部４４が設けられている。排水部４４は、傘部４２の内側に入った水を、モータ１２やボールジョイント１６（図１参照）を避けた場所に導出するように、下り勾配を有するように延出されている。
【００２９】
また、傘部４２における取付脚２２と軸方向Ｘ１に対向する部分には、軸方向Ｘ１に突出し前記貫通部２５に挿入された挿入突起４５が設けられている。挿入突起４５は、その突出方向の長さが取付脚２２の板厚よりも長く、貫通部２５（取付脚２２）を貫通している。そして、挿入突起４５は、軸方向Ｘ１には取付脚２２（貫通部２５）に係合することなく（軸方向Ｘ１に引っ掛かりを有することなく）周方向Ｘ２において貫通部２５に係合している。
【００３０】
また、ピボット支持部２１の先端から突出した第１ピボット軸４の外周面には、第１のワッシャ５１が固定されている。更に、第１のワッシャ５１とピボット支持部２１の先端面との間には、円環状の板状をなす第２のワッシャ５２が第１ピボット軸４に挿通状態で配置されている。
【００３１】
この第２のワッシャ５２の内径は、第１ピボット軸４の外径よりも若干大きい。また、第２のワッシャ５２の外径は、ピボット支持部２１の外径よりも大きく、本実施形態ではボス部４１の外径と略等しくなっている。そのため、第２のワッシャ５２は、ボス部４１の先端面と軸方向Ｘ１に対向している。即ち、ボス部４１は、軸方向Ｘ１に第２のワッシャ５２と重なっている。なお、第２のワッシャ５２は、第１ピボット軸４に対して相対回転可能である。
【００３２】
また、本実施形態の第１のワッシャ５１は、円環状の歯付きワッシャである。第１のワッシャ５１は、ピボット支持部２１の先端面との間に第２のワッシャ５２が介在されるように、第１ピボット軸４の外周に同第１ピボット軸４の先端側から嵌め込まれている（締着固定されている）。そして、第１のワッシャ５１は、第１ピボット軸４に対して、同第１ピボット軸４と一体回転可能、且つ同第１ピボット軸４の先端側へ移動不能に固定されている。また、第１のワッシャ５１は、ピボット支持部２１の先端面との間に第２のワッシャ５２を挟持しており、第２のワッシャ５２は、第１のワッシャ５１によって第１ピボット軸４の先端側への移動が阻止されている。更に、第２のワッシャ５２は、第１のワッシャ５１とピボット支持部２１とによって軸方向Ｘ１に移動不能に配置されている。即ち、第２のワッシャ５２は、第１のワッシャ５１とピボット支持部２１とによって第１ピボット軸４から脱落不能に同第１ピボット軸４の外周に固定されている。
【００３３】
なお、図３に示すように、第１ピボット軸４の先端部（第１ピボット軸４における第１のワッシャ５１よりも先端側の部分）には、第１ワイパＷ１のワイパアーム６１の基端部がナット６２により固定されている。ワイパアーム６１の基端部は、その側壁６１ａが第１ピボット軸４の基端側に向けて周囲を囲繞するように筒状に延出した形状をなしている。そして、側壁６１ａは、ボス部４１の外周で同ボス部４１の先端部と第１ピボット軸４の径方向（以下、径方向Ｘ３とする）に重なっている。即ち、ピボット支持部２１の先端部及びボス部４１の先端部は、ワイパアーム６１の基端部によって覆われている。
【００３４】
次に、本実施形態の作用について説明する。
第１水受キャップ６のボス部４１は、第１のワッシャ５１とピボット支持部２１とによって第１ピボット軸４の外周に固定された第２のワッシャ５２と軸方向Ｘ１に重なっている。そのため、ピボット支持部２１の先端側から第１水受キャップ６が抜けることが、当該第２のワッシャ５２によって阻止される。そして、第１水受キャップ６の傘部４２が有する挿入突起４５は、取付脚２２の貫通部２５に挿入されることにより、周方向Ｘ２において同貫通部２５に係合している。そのため、貫通部２５に挿入された挿入突起４５によって、第１ピボットホルダ１に対して第１水受キャップ６が周方向Ｘ２に回転することが阻止される。なお、ここで、ボス部４１の下端が取付脚２２に当接した状態からボス部４１の先端が第２のワッシャ５２に当接するまでの第１水受キャップ６の移動距離をＬとする。この移動距離Ｌよりも上記挿入突起４５の貫通部２５内までの長さが長く設定、言い換えれば、第１水受キャップ６が移動距離Ｌだけ移動しても挿入突起４５が貫通部２５内に配置されるように設定されることにより、上記第１ピボットホルダ１に対する第１水受キャップ６の周方向Ｘ２への回転をより確実に抑制することができる。
【００３５】
また、ワイパ装置の第１水受キャップ６組付け時には、ピボット支持部２１にボス部４１を外挿し、貫通部２５に挿入突起４５を軸方向Ｘ１から挿入する。このとき、挿入突起４５は、貫通部２５に挿入されるのみで、軸方向Ｘ１には取付脚２２に係合しない（軸方向Ｘ１に引っ掛かりを有しない）。そして、ピボット支持部２１に支持された第１ピボット軸４の外周に第１及び第２のワッシャ５１，５２を固定することにより、第１水受キャップ６は第１ピボットホルダ１から抜けることが防止されるとともに同第１ピボットホルダ１に対する周方向Ｘ２の回転が規制された状態に組み付けられる。従って、第１水受キャップ６が第１ピボットホルダ１から軸方向に抜けることを防止するための構成や、第１ピボットホルダ１に対して周方向Ｘ２に第１水受キャップ６が回転することを阻止するための構成が、ワイパ装置の組付け時に損傷されることが抑制される。
【００３６】
なお、第２ピボット軸７を回動自在に支持した第２ピボットホルダ２、及び同第２ピボットホルダ２に装着された第２水受キャップ９についても同様の作用が得られる。
次に、本実施形態の特徴的な効果を記載する。
【００３７】
（１）第１ピボットホルダ１から第１水受キャップ６が抜けること、並びに、第２ピボットホルダ２から第２水受キャップ９が抜けることをより確実に防止することができる。また、第１ピボットホルダ１に対して周方向Ｘ２に第１水受キャップ６が回転すること、並びに、第２ピボットホルダ２に対して第２ピボット軸７の周方向に第２水受キャップ９が回転することがより効果的に阻止される。これにより、第１ピボットホルダ１から第１水受キャップ６が正規の取付状態から外れること、並びに、第２ピボットホルダ２から第２水受キャップ９が正規の取付状態から外れることをより確実に防止することができる。
【００３８】
（２）第１ピボットホルダ１が金属製であり、同第１ピボットホルダ１に装着される第１水受キャップ６が樹脂製であっても、第１水受キャップ６が第１ピボットホルダ１から抜けることを防止するための構成がワイパ装置の組付け時に損傷されることは抑制される。従って、金属製の第１ピボットホルダ１及び樹脂製の第１水受キャップ６を備えた当該ワイパ装置であっても、第１ピボットホルダ１に対する第１水受キャップ６の正規の取付状態からの外れをより確実に防止することができる。第２ピボットホルダ２及び第２水受キャップ９についても同様である。
【００３９】
（３）第１水受キャップ６のボス部４１は、第１のワッシャ５１とピボット支持部２１とによって第１ピボット軸４の軸方向Ｘ１に移動不能に配置された第２のワッシャ５２と軸方向Ｘ１に対向している。そのため、ピボット支持部２１の先端側から第１水受キャップ６が抜けることが、当該第２のワッシャ５２によって阻止される。従って、本実施形態のワイパ装置では、第１ピボット軸４の外周に固定された第２のワッシャ５２によって、第１ピボットホルダ１から第１水受キャップ６が抜けることをより確実に防止することができる。第２ピボット軸７側でも同様の効果が得られる。
【００４０】
なお、上記実施形態は、以下のように変更してもよい。
・上記実施形態では、第１ピボット軸４の外周には歯付きワッシャである第１のワッシャ５１が締着固定され、第１ピボット軸４に挿通（外挿）された第２のワッシャ５２が第１のワッシャ５１及びピボット支持部２１によって軸方向Ｘ１に移動不能に配置されている。しかし、ピボット支持部２１の先端から突出した第１ピボット軸４の外周に組み付けられるワッシャの数は、２つに限らず、１つ、もしくは３つ以上であってもよい。例えば、第２のワッシャ５２を省略して、歯付きワッシャである第１のワッシャ５１のみが第１ピボット軸４の外周に固定された構成としてもよい。この場合、第１のワッシャ５１は、ボス部４１の少なくとも一部と軸方向Ｘ１に重なる。このようにしても、上記実施形態の（１），（２）と同様の効果を得ることができる。なお、第２ピボットホルダ２のピボット支持部２１の先端部から突出した第２ピボット軸７の外周に組み付けられるワッシャについても同様に変更してもよい。
【００４１】
・第２のワッシャ５２の形状は、上記実施形態の形状に限らない。例えば、図４に示す第２のワッシャ７２は、ボス部４１の外周で径方向Ｘ３に同ボス部４１と重なる位置まで軸方向Ｘ１に筒状に延びており、ボス部４１の先端が内側に収容される。このようにすると、ボス部４１の内側に水等の液体が浸入することが第２のワッシャ７２によって抑制される。
【００４２】
また、図５に示すように、第２のワッシャ７２におけるボス部４１と径方向Ｘ３に重なる部分に第１係合部８１を設け、当該第１係合部８１と軸方向Ｘ１に係合する第２係合部８２をボス部４１に設けてもよい。図５に示す例では、第１係合部８１は、第２のワッシャ７２を径方向に貫通した貫通孔であり、第２係合部８２は、ボス部４１の外周面から径方向外側に突出し第１係合部８１に挿入された突起である。そして、第１係合部８１と第２係合部８２とは凹凸係合している。なお、第１係合部８１を第２のワッシャ７２から径方向内側に突出した突起とし、第２係合部８２をボス部４１の外周面に設けられた凹部もしくはボス部４１を径方向に貫通した貫通孔としてもよい。このようにすると、第１係合部８１に第２係合部８２が軸方向Ｘ１に係合することにより、第２のワッシャ７２に対する第１水受キャップ６の軸方向Ｘ１の移動が抑制され、ひいては、第１ピボットホルダ１に対する第１水受キャップ６の軸方向Ｘ１の移動が抑制される。従って、第１水受キャップ６の軸方向Ｘ１の振動や、第１水受キャップ６の軸方向Ｘ１の移動に起因する騒音の発生を抑制することができる。
【００４３】
また、図６に示すように、ボス部４１の先端部と第２のワッシャ７２とがインロー嵌合するように構成してもよい。図６に示す例では、ボス部４１の先端部に、同ボス部４１の外径を小さくすることにより設けられた段差凹部８３が設けられている。そして、第２のワッシャ７２におけるボス部４１と径方向Ｘ３に重なる部分は、ボス部４１の先端部における段差凹部８３が設けられた部分に外嵌されている。即ち、第２のワッシャ７２の先端部（第２のワッシャ７２における第１ピボット軸４の基端側を向いた下端部）とボス部４１の先端部とが、インロー嵌合している。従って、第２のワッシャ７２の先端部とボス部４１の先端部との間には、迷路構造が形成されるため、ボス部４１の内側に水等の液体が浸入することがより抑制される。なお、第２のワッシャ７２の先端部にボス部４１の先端部が外嵌された構成としてもよい。
【００４４】
第２ピボット軸７の外周に固定される第２のワッシャ５２及び第２水受キャップ９についても、図４乃至図６に示した例と同様に変更してもよい。また、第１のワッシャ５１を、図４乃至図６に示した第２のワッシャ７２のように構成してもよい。
【００４５】
・上記実施形態では、第１及び第２ピボットホルダ１，２は金属製であり、第１及び第２水受キャップ６，９は樹脂製である。しかしながら、第１及び第２ピボットホルダ１，２を構成する材料、及び、第１及び第２水受キャップ６，９を構成する材料はこれに限らない。例えば、第１及び第２水受キャップ６，９は、金属製もしくはゴム製であってもよい。
【００４６】
・上記実施形態の挿入突起４５に代えて、図７及び図８に示す一対の係止突起９１を第１水受キャップ６の傘部４２に備えてもよい。一対の係止突起９１は、傘部４２から取付脚２２の周方向Ｘ２の両側に向けて軸方向Ｘ１に突出しており、取付脚２２の周方向Ｘ２の両側で同取付脚２２とそれぞれ周方向Ｘ２において対向している。即ち、取付脚２２は、一対の係止突起９１の間に配置され、当該一対の係止突起９１と軸方向Ｘ１には係合することなく周方向Ｘ２に係合している。
【００４７】
このようにすると、係止突起９１によって、第１ピボットホルダ１に対して第１水受キャップ６が周方向Ｘ２に回転することが阻止される。また、ワイパ装置の組付け時には、ピボット支持部２１にボス部４１を外挿し、係止突起９１を軸方向Ｘ１から取付脚２２の周方向Ｘ２の両側に配置する。このとき、各係止突起９１は、軸方向Ｘ１には取付脚２２に係合しない。その後、ピボット支持部２１に支持された第１ピボット軸４の外周に第１及び第２のワッシャ５１，５２を固定することにより、第１水受キャップ６は第１ピボットホルダ１から抜けることが防止されるとともに同第１ピボットホルダ１に対する周方向Ｘ２の回転が規制された状態に組み付けられる。従って、第１水受キャップ６が第１ピボットホルダ１から軸方向に抜けることを防止するための構成や、第１ピボットホルダ１に対して周方向Ｘ２に第１水受キャップ６が回転することを阻止するための構成が、ワイパ装置の組付け時に損傷されることが抑制される。よって、当該ワイパ装置では、第１ピボットホルダ１から第１水受キャップ６が抜けることをより確実に防止することができる。また、第１ピボットホルダ１に対して周方向Ｘ２に第１水受キャップ６が回転することがより効果的に阻止される。これにより、第１ピボットホルダ１から第１水受キャップ６が正規の取付状態から外れることをより確実に防止することができる。
【００４８】
なお、傘部４２が有する係止突起９１の数は、取付脚２２の周方向Ｘ２の両側にそれぞれ係止突起９１が配置されるのであれば、一対に限らず、適宜変更してもよい。また、第２水受キャップ９についても同様に、挿入突起４５に代えて係止突起９１を備えてもよい。
【００４９】
・上記実施形態では、貫通部２５は、取付脚２２を軸方向Ｘ１に貫通した円形状の貫通孔である。しかしながら、貫通部２５の形状はこれに限らない。例えば、貫通部２５は、軸方向Ｘ１から見た形状が楕円形状、多角形状等をなす貫通孔であってもよい。また、貫通部２５は、取付脚２２を軸方向Ｘ１に貫通し、且つ取付脚２２に対する挿入突起４５の周方向Ｘ２の移動（周方向Ｘ２の一方側への移動と他方側への移動との両方の移動）を規制可能な形状であれば、貫通孔に限らず、溝状をなすものであってもよい。例えば、貫通部２５は、取付脚２２の周方向Ｘ２の一端から取付脚２２の周方向Ｘ２の中央に向けて周方向Ｘ２に延びた後に径方向Ｘ３に延びる略Ｌ字状の溝であってもよい。また例えば、貫通部２５は、軸方向Ｘ１から見て、取付脚２２の周方向Ｘ２の一端から径方向Ｘ３に対して傾斜した方向に沿って延びる溝であってもよい。
【００５０】
・上記実施形態では、第１水受キャップ６の傘部４２は、１つの挿入突起４５を備え、取付脚２２は、当該挿入突起４５が挿入される貫通部２５を１つ備えている。しかしながら、傘部４２が有する挿入突起４５の数、及び取付脚２２が有する貫通部２５の数は、複数であってもよい。第２ピボットホルダ２及び第２水受キャップ９についても同様である。
【００５１】
・第１ピボットホルダ１及び第２ピボットホルダ２は、筒状のピボット支持部と、当該ピボット支持部から径方向外側に突出した取付脚とを有するのであれば、上記実施形態の形状に限らず、車両への搭載レイアウトスペースや搭載姿勢に応じて変更されてもよい。
【００５２】
・第１水受キャップ６は、ピボット支持部２１に外挿された筒状のボス部と、当該ボス部から径方向外側に延出した傘部とを有するのであれば、上記実施形態の形状に限らない。例えば、第１水受キャップ６は、その傘部に設けられた排水部が、同傘部から延びる筒状をなすものであってもよい。第２水受キャップ９についても同様である。
【００５３】
・上記実施形態では、ワイパ装置は、第１ワイパＷ１及び第２ワイパＷ２の２つのワイパを駆動するものであるが、１つのワイパのみを駆動するものであってもよい。
次に、上記実施形態及び変更例から把握できる技術的思想を以下に追記する。
【００５４】
（イ）請求項１乃至請求項４の何れか１項に記載のワイパ装置において、前記ワッシャは、前記ピボット軸の外周面に締着固定された歯付きワッシャである第１のワッシャと、前記第１のワッシャと前記ピボット支持部の先端面との間に前記第１のワッシャと前記ピボット支持部とによって前記ピボット軸の軸方向に移動不能に配置された円環状の第２のワッシャとであり、前記第２のワッシャは、前記ボス部の先端面と軸方向に対向することを特徴とするワイパ装置。
【００５５】
この構成によれば、水受キャップのボス部は、第１のワッシャとピボット支持部とによってピボット軸の軸方向に移動不能に配置された第２のワッシャとピボット軸の軸方向に対向している。そのため、ピボット支持部の先端側から水受キャップが抜けることが、当該第２のワッシャによって阻止される。従って、当該ワイパ装置では、ピボット軸の外周に固定された第２のワッシャによって、ピボットホルダから水受キャップが抜けることをより確実に防止することができる。
【符号の説明】
【００５６】
１…ピボットホルダとしての第１ピボットホルダ、２…ピボットホルダとしての第２ピボットホルダ、４…ピボット軸としての第１ピボット軸、６…水受キャップとしての第１水受キャップ、７…ピボット軸としての第２ピボット軸、９…水受キャップとしての第２水受キャップ、２１…ピボット支持部、２２…取付脚、２５…貫通部、４１…ボス部、４２…傘部、４５…挿入突起、５１…ワッシャとしての第１のワッシャ、５２，７２…ワッシャとしての第２のワッシャ、９１…係止突起、Ｗ１…ワイパとしての第１ワイパ、Ｗ２…ワイパとしての第２ワイパ、Ｘ１…ピボット軸の軸方向、Ｘ２…ピボット軸の周方向。
【図１】
0006750318.tif 000002
【図２】
0006750318.tif 000003
【図３】
0006750318.tif 000004
【図４】
0006750318.tif 000005
【図５】
0006750318.tif 000006
【図６】
0006750318.tif 000007
【図７】
0006750318.tif 000008
【図８】
0006750318.tif 000009